(57)【要約】  防水パンを容易に設置することができ、かつ確実に水平状態に支持することのできる支持脚を提供する。  防水パン５ａと設置面１との間に配置されて、防水パン５ａを設置面１上に支持する支持脚１０であって、防水パン５ａの下面から垂直に延びる支持部材８と、一端に支持部材８を挿入可能な開口９ａを有し、他端が封鎖された筒状部材９と、支持部材８と筒状部材９との間に設けられ、両者を遠ざける方向に弾性力を有する弾性部材１１と、筒状部材９の内部に充填され、時間の経過により硬化する硬化性材料１２とを備えている。
2007091447.tif 000002
【特許請求の範囲】
【請求項１】
防水パンと設置面との間に配置されて、該防水パンを該設置面上に支持する支持脚であって、
前記防水パンの下面から垂直に延びる支持部材と、
一端に該支持部材を挿入可能な開口を有し、他端が封鎖された筒状部材と、
該支持部材と該筒状部材との間に設けられ、両者を遠ざける方向に弾性力を有する弾性部材と、
前記筒状部材の内部に充填され、時間の経過により硬化する硬化性材料とを備えていることを特徴とする支持脚。
【請求項２】
前記弾性部材は前記支持部材に当接している請求項１記載の支持脚。
【請求項３】
前記筒状部材は軸方向に伸縮自在な可動部を有し、前記弾性部材は該可動部と一体的に形成されている請求項１又は２記載の支持脚。
【請求項４】
前記弾性部材はコイルバネである請求項１乃至３のいずれか１項記載の支持脚。
【発明の詳細な説明】
【技術分野】
【０００１】
本発明は支持脚に関する。
【背景技術】
【０００２】
特許文献１の図３に従来の支持脚が開示されている。この支持脚は、防水パンと設置面との間に配置されて、防水パンを設置面上に支持するものである。この支持脚は、防水パンの下面から垂直に延びる支持部材と、一端に支持部材を挿入可能な開口を有し、他端が封鎖された筒状部材とを備えている。また、筒状部材の内部には、時間の経過により硬化する硬化性材料が充填されている。【０００３】
このような構成である従来の支持脚は、防水パンを設置面上に支持するために利用した場合、防水パンの下面と設置面との間隔に合わせて筒状部材に対する支持部材の挿入長さが変化するため、適切な長さになる。防水パンの下面に支持脚を取り付ける際に、支持部材を筒状部材に挿入しすぎると、防水パンの設置時に設置面と筒状部材との間に隙間が生じてしまうこともある。この場合でも、筒状部材は、自重により降下し、設置面に当接するため、支持脚は適切な長さになる。また、防水パンを設置後、時間の経過により筒状部材の内部に充填された硬化性材料が硬化するため、支持部材と筒状部材とが強固に一体化される。【０００４】
このため、この支持脚によれば、長さの調整が不要になり、据付時間を短縮することができる。また、支持部材及び筒状部材が強固に一体化されることにより、防水パンを水平に確実に支持することができる。
【特許文献１】実公平７−３８４１９号公報
【発明の開示】
【発明が解決しようとする課題】
【０００５】
しかし、上記従来の支持脚では、筒状部材が支持部材に接触して引っ掛かると、筒状部材が設置面まで降下しないことがある。このような状態のままで、時間が経過して硬化性材料が硬化してしまうと、筒状部材と設置面との間に隙間を有する状態で支持部材と筒状部材とが一体化されてしまい、防水パンの支持が不十分になる。【０００６】
本発明は、上記従来の実情に鑑みてなされたものであって、防水パンを容易に設置することができ、かつ確実に水平状態に支持することのできる支持脚を提供することを解決すべき課題としている。
【課題を解決するための手段】
【０００７】
本発明の支持脚は、防水パンと設置面との間に配置されて、該防水パンを該設置面上に支持する支持脚であって、
前記防水パンの下面から垂直に延びる支持部材と、
一端に該支持部材を挿入可能な開口を有し、他端が封鎖された筒状部材と、
該支持部材と該筒状部材との間に設けられ、両者を遠ざける方向に弾性力を有する弾性部材と、
前記筒状部材の内部に充填され、時間の経過により硬化する硬化性材料とを備えていることを特徴とする。【０００８】
このような構成である本発明の支持脚では、支持部材と筒状部材とが接触していたりしても、弾性部材の弾性力により、支持部材と筒状部材とは最も遠ざけられた状態、つまり、支持脚は最も長い状態で防水パンの下面に取り付けつけられる。このため、防水パンを設置面に設置する際には、筒状部材を必ず設置面に当接させることができる。そして、防水パンが水平に設置されると同時に、支持脚は適切な長さに自動的に縮小される。その後、支持脚は、時間の経過により硬化性材料が硬化するため、支持部材と筒状部材とが強固に一体化される。【０００９】
したがって、本発明の支持脚は、防水パンを容易に設置することができ、かつ確実に水平状態に支持することができる。【００１０】
筒状部材は、ゴム等の弾性材で形成されることができる。このようにすれば、浴室ユニット等の床面として防水パンを使用した場合、その防水パンの使用の際に生じる振動が設置面に伝播しないようにすることができる。また、この振動により筒状部材が設置面と離反して衝突する場合でも、その衝突音を低減することができる。このため、浴室ユニット等を快適に使用することができる。【００１１】
筒状部材は、下面にゴム等の弾性材からなる防振部材を取り付けられたものでもよい。このようにしても、防水パンを使用した際に生じる振動が設置面に伝播しないようにすることができる。また、この振動により筒状部材が設置面と離反して衝突する場合でも、その衝突音を低減することができ、浴室ユニット等を快適に使用することができる。【００１２】
支持脚は、防水パンの中央部の下面等、施工者の手の届かない箇所に配置されることができる。この場合でも、支持脚は、適切な長さに自動調整されて防水パンを支持するため、防水パンをより確実に水平状態に支持することができる。【００１３】
弾性部材は支持部材に当接していることが好ましい。この場合、支持部材に弾性部材の弾性力が直接的に作用し、筒状部材を遠ざける方向に弾性力が確実に働くため、筒状部材をより確実に設置面に当接させることができる。【００１４】
本発明の筒状部材は軸方向に伸縮自在な可動部を有し、弾性部材は可動部と一体に形成されていることが好ましい。この場合、支持部材を筒状部材に挿入するのみで支持脚を組み付けることができるため、防水パンをより容易に設置することができる。【００１５】
筒状部材の外周部に弾性部材を設けることもできる。この場合、筒状部材の内部に弾性部材を設けないため、筒状部材の内部に硬化性材料を充填する際の抵抗がなくなり、容易に筒状部材の内部に硬化性材料を充填することができる。このため、筒状部材の品質のばらつきが低減され、製造時間の短縮を図ることができる。【００１６】
弾性部材はコイルバネであることが好ましい。この場合、筒状部材の内部又は外周部にコイルバネを容易に設けることができる。【００１７】
コイルバネは、径方向で重ならないように一端側から他端側に向けて徐々に拡径した形状のものを採用することができる。この場合、コイルバネを圧縮した際に軸方向の長さを短くすることができる。このため、支持部材に対して筒状部材の可動範囲が広くなる。つまり、支持脚の調整範囲を広くすることができる。また、コイルバネが圧縮される全領域において、安定した弾性力を有するため、筒状部材をより確実に設置面に当接させることができる。
【図面の簡単な説明】
【００１８】
【図１】浴槽側防水パン及び洗い場側防水パンを設置した状態を示す断面図である。
【図２】実施例１の支持脚を一部分解して示す断面図である。
【図３】実施例１の支持脚の設置後の状態を示す断面図である。
【図４】実施例２の支持脚を一部分解して示す断面図である。
【図５】実施例２の支持脚の設置後の状態を示す断面図である。
【図６】実施例２の支持脚に係り、図５の矢視Ａ−Ａの断面図である。
【図７】実施例２の筒状部材の斜視図である。
【図８】実施例３の支持脚の設置時の状態を示す断面図である。
【図９】実施例３の支持脚の設置後の状態を示す断面図である。
【図１０】実施例３の支持脚における脱落防止機構を示す概略図である。
【図１１】実施例４の支持脚を分解して示す断面図である。
【図１２】実施例４の支持脚の設置後の状態を示す断面図である。
【図１３】実施例５の支持脚の設置時の状態を示す断面図である。
【図１４】実施例５の支持脚の設置後の状態を示す断面図である。
【図１５】実施例６の筒状部材を示す断面図である。
【図１６】実施例７の支持脚の設置時の状態を示す断面図である。
【図１７】実施例７の筒状部材の一部を断面にして示す分解斜視図である。
【図１８】実施例８の筒状部材を分解して示す断面図である。
【図１９】実施例８の筒状部材の一部を断面にして示す斜視図である。
【符号の説明】
【００１９】
１…設置面
５ａ、５ｂ…防水パン（５ａ…浴槽側防水パン、５ｂ…洗い場側防水パン）
８、２８、３８、４８…支持部材
９、２９、３９、４９、５９、６９、７９、８９…筒状部材
１０、２０、３０、４０、５０、６０、７０…支持脚
１１、２１、３１、４１、５１、６１、７１…弾性部材
１２…充填材
５９ｃ、６９ｃ…可動部
【発明を実施するための最良の形態】
【００２０】
以下、本発明を具体化した実施例１〜８を図面を参照しつつ説明する。
【実施例１】
【００２１】
図１に示すように、木造建築の床構造は、防水パンを設置する設置面（床スラブ）１上に防水パンの四方を囲むように基礎２が立設されている。基礎２上には、土台３が設けられ、対向する土台３の間に大引き４が設けられている。土台３の上方であり、防水パンが設置される室内側の内周側面には、きわ根太６ａ、６ｂが設けられている。防水パンは、浴槽側防水パン５ａ及び洗い場側防水パン５ｂが一体になっている。防水パンの周辺部位は、きわ根太６ａ、６ｂに係止され位置決めされる。洗い場側防水パン５ｂは、後述する実施例４の支持脚４０を介して大引き４に支持されている。【００２２】
浴槽側防水パン５ａの下面には、図示はしないが、支持脚１０の支持部材８をねじ込み可能なナットを有する支持脚取付部が複数設けられている。施工者の手が届かない範囲（例えば、浴槽側防水パン５ａの中央位置等）に設けられた支持脚取付部等には、図２及び図３に示される実施例１の支持脚１０が取り付けられている。施工者の手が届く範囲の特定の支持脚取付部には、浴槽側防水パン５ａの下面から設置面１まで届く長さの六角ボルトが取り付けられている。この支持脚は、防水パンの施工時に、支持脚取付部のナットへのねじ込み具合を調整して、防水パンを水平に調整するために利用される。【００２３】
防水パンが設置された浴室の隣には脱衣室が設けられ、床材７の表面７ａは洗い場側防水パン５ｂの表面と略同じ高さになっている。【００２４】
図２及び図３に示すように、実施例１の支持脚１０は、浴槽側防水パン５ａと設置面１との間に配置されて、浴槽側防水パン５ａを設置面１上に支持するものである。【００２５】
支持脚１０は、浴槽側防水パン５ａの下面に設けられている支持脚取付部のナットに螺合して垂直に延びる支持部材８を備えている。支持部材８は、呼び径がＭ１６からＭ２０程度の六角ボルトである。【００２６】
また、支持脚１０は、一端に支持部材８を挿入可能な開口９ａを有し、他端９ｂが封鎖された筒状部材９を備えている。筒状部材９はゴム等の弾性材で形成されている。開口９ａの内面には、径方向に水平に突出する突出片９ｃが一体に形成されている。突出片９ｃにより形成された絞り部９ｄの内径は、支持部材８の頭部８ａの外径よりも小径に形成されている。【００２７】
また、支持脚１０は、支持部材８と筒状部材９との間に設けられ、両者を遠ざける方向に弾性力を有する弾性部材１１を筒状部材９の内部に有している。弾性部材１１は、一端側から他端側に向けて徐々に拡径した形状のコイルバネである。【００２８】
また、筒状部材９の内部には、時間の経過により硬化する硬化性樹脂１２が充填されている。【００２９】
このような構成である実施例１の支持脚１０を利用して防水パンを設置する。この手順を以下に説明する。【００３０】
先ず、防水パンの下面に支持部材８を取り付ける（第１工程）。第１工程では、浴室側防水パン５ａが設置された状態で施工者の手が届かない範囲等に設けられた複数の支持脚取付部のナットに支持部材８を螺合させる。【００３１】
なお、浴槽側防水パン５ａが設置された状態で施工者の手が届く範囲の特定の支持脚取付部には、浴槽側防水パン５ａの下面から設置面まで届く長さの六角ボルトを螺合させる。この六角ボルトは、防水パンの施工時に支持脚取付部のナットへのねじ込み具合を調整し、防水パンを水平に調整するために利用する。【００３２】
次に、図２に示すように、支持部材８に筒状部材９を連結する（第２工程）。第２工程では、筒状部材９がゴム等の弾性材で形成されているため、開口９ａ、絞り部９ｄ及び突出片９ｃを変形させて弾性部材１１を筒状部材９の内部に組み込む。筒状部材９の内部に弾性部材１１を組み込んだ後、硬化性樹脂１２を充填する。硬化性樹脂１２は、筒状部材９に支持部材８を挿入する際に、筒状部材９の開口９ａから溢れ出ない量が筒状部材９の内部に充填される。この後、筒状部材９の開口９ａから支持部材８の頭部８ａを押し込んで挿入する。この際も、筒状部材９はゴム等の弾性材で形成されているため、開口９ａ、絞り部９ｄ及び突出片９ｃを変形させる。【００３３】
次に、浴槽側防水パン５ａ及び洗い場側防水パン５ｂを設置する（第３工程）。第３工程では、図１に示すように、浴槽側防水パン５ａ及び洗い場側防水パン５ｂを設置面１の上方から設置する。施工者は、浴槽側防水パン５ａ及び洗い場側防水パン５ｂが水平になるように、浴槽側防水パン５ａの下面から設置面まで届く長さの六角ボルトの支持脚取付部のナットへのねじ込み具合を調整した後、浴槽側防水パン５ａ及び洗い場側防水パン５ｂの周辺部位をきわ根太６ａ、６ｂに固定する。この状態で、筒状部材９は弾性部材１１の弾性力により設置面１に当接し、支持脚１０は適切な長さに自動調節される。【００３４】
次に、筒状部材９の内部に充填した硬化性樹脂１２が硬化し、支持部材８と筒状部材９とが強固に一体化される（第４工程）。これにより、図３に示すように、支持部材８と筒状部材９とが強固に一体化され、浴槽側防水パン５ａが支持される。【００３５】
このような実施例１の支持脚１０において、支持部材８と筒状部材９とが接触していたりしても、弾性部材１１の弾性力により、支持部材８と筒状部材９とは最も遠ざけられた状態、つまり、支持脚１０は最も長い状態で浴槽側防水パン５ａの下面に取り付けられる。このため、浴槽側防水パン５ａを設置面１に設置する際には、筒状部材９を必ず設置面１に当接させることができる。そして、浴槽側防水パン５ａが水平に設置されると同時に、支持脚１０は適切な長さに自動的に縮小される。その後、支持脚１０は、時間の経過により硬化性材料１２が硬化するため、支持部材８と筒状部材９とが強固に一体化される。【００３６】
したがって、実施例１の支持脚１０は、防水パンを容易に設置することができ、かつ確実に水平状態に支持することができる。【００３７】
また、筒状部材９は、ゴム等の弾性材で形成されているため、浴室ユニットの床面として防水パンが使用される際に生じる振動が設置面１に伝播しないようにすることができる。また、この振動により筒状部材９が設置面１と離反して衝突する場合でも、その衝突音を低減することができる。このため、浴室ユニットを快適に使用することができる。【００３８】
また、支持脚１０を、防水パン５ａの中央部の下面等、施工者の手の届かない箇所にも配置したことにより、防水パン５ａをより確実に水平状態に支持することができる。【００３９】
また、弾性部材１１は支持部材８に直接当接しているため、支持部材８に弾性部材１１の弾性力が直接作用し、筒状部材９を遠ざける方向に弾性力が確実に働くため、筒状部材９をより確実に設置面１に当接させることができる。【００４０】
また、弾性部材１１は、径方向重ならないように一端側から他端側に向けて徐々に拡径した形状のコイルバネであるため、コイルバネを圧縮した際に軸方向の長さを短くすることができる。このため、支持部材８に対する筒状部材９の可動範囲が広くなる。つまり、支持脚１０の調整範囲を広くすることができる。また、コイルバネが圧縮される全領域において、安定した弾性力を有するため、筒状部材９をより確実に設置面１に当接させることができる。【００４１】
また、筒状部材９の開口９ａの内面に、径方向に水平に突出する突出片９ｃが一体に形成されているため、支持部材８の頭部８ａを押し込んで挿入すれば、頭部８ａに突出片９ｃが当接して、支持部材８から筒状部材９が脱落することを防止することができる。
【実施例２】
【００４２】
図４〜図７に示すように、実施例２の支持脚２０において、支持部材２８は頭部２８ａの側面から外側へ突出するピン２８ｂを有している。また、筒状部材２９は、一端に支持部材２８を挿入可能な開口２９ａを有し、他端２９ｂが閉鎖されている。他端２９ｂの下面にはゴム製の防振部材２５が貼付されている。【００４３】
図７に示すように、筒状部材２９の側面には、ピン２８ｂを挿通することのできるスリット２９ｄが上下方向に設けられている。スリット２９ｄの上部には、スリット幅を狭めるように突片２９ｅが形成されている。【００４４】
スリット２９ｄの外側面には湾曲状のカバー２９ｆが形成されている。弾性部材２１は、一端側から他端側に亘り同径のコイルバネである。他の構成は、実施例１と同様である。このため、同一の構成については、同一の符号を付し詳細な説明は省略する。【００４５】
また、実施例２の支持脚２０を利用して防水パンを設置する手順は、以下に説明する点を除き、実施例１と同様である。【００４６】
実施例２の支持脚２０を利用して防水パンを設置する場合、第２工程において、図４〜図６に示すように、ピン２８ｂをスリット２９に挿通しながら、筒状部材２９の開口から支持部材２８の頭部２８ａを挿入する。ピン２８ｂがスリット２９ｄに設けられた突片２９ｅより下方側に位置するまで、支持部材２８を筒状部材２９の内部に挿入する。【００４７】
このような実施例２の支持脚２０において、支持部材２８と筒状部材２９とが接触していたりしても、弾性部材２１の弾性力により、支持部材２８と筒状部材２９とは最も遠ざけられた状態、つまり、支持脚２０は最も長い状態で浴槽側防水パン５ａの下面に取り付けられる。このため、浴槽側防水パン５ａを設置面１に設置する際には、筒状部材２９を必ず設置面１に当接させることができる。そして、浴槽側防水パン５ａが水平に設置されると同時に、支持脚２０は適切な長さに自動的に縮小される。その後、支持脚２０は、時間の経過により硬化性材料１２が硬化するため、支持部材２８と筒状部材２９とが強固に一体化される。【００４８】
したがって、実施例２の支持脚２０も、実施例１の支持脚１０と同様に、本発明の作用効果を奏することができる。【００４９】
また、筒状部材２９の他端２９ｂの下面にはゴム製の防振材２５が貼付されているため、浴室ユニットの床面として防水パンが使用される際に生じる振動が設置面１に伝播しないようにすることができる。また、この振動により防振部材２５が設置面１と離反して衝突する場合でも、筒状部材２９により衝突音を低減することができる。このため、浴室ユニットを快適に使用することができる。【００５０】
また、支持脚２０を、防水パン５ａの中央部の下面等、施工者の手の届かない箇所にも配置したことにより、防水パン５ａをより確実に水平状態に支持することができる。【００５１】
また、弾性部材２１は支持部材２８に直接当接しているため、支持部材２８に弾性部材２１の弾性力が直接作用し、筒状部材２９を遠ざける方向に弾性力が確実に働くため、筒状部材２９をより確実に設置面１に当接させることができる。【００５２】
また、弾性部材２１はコイルバネであるため、筒状部材２９の内部に容易に設けることができる。【００５３】
また、ピン２８ｂがスリット２９ｄに当接するため、支持部材２８から筒状部材２９が脱落することを防止することができる。【００５４】
また、スリット２９ｄの外側面には湾曲状のカバー２９ｆが形成されているため、筒状部材２９内部に硬化性樹脂１２を充填した際に、外部に漏洩することを防止することができる。
【実施例３】
【００５５】
図８〜図１０に示すように、実施例３の支持脚３０において、支持部材３８は下端が開放し、上部側面に空気抜き穴３８ａが設けられた管体により形成されている。支持部材３８の上端には、浴槽側防水パン５ａの下面にビスで固定されるフランジ３８ｃが一体に形成されている。支持部材３８は、側面にピン３８ｂが設けられている。【００５６】
また、筒状部材３９は、上端が開放した開口３９ａを有する管体により形成されている。図１０に示すように筒状部材３９の側面には、ピン３８ｂを挿通することができ、中間に水平開口部３９ｇを有するスリット３９ｄが設けられている。筒状部材３９の下端は封鎖され、ゴム製の防振材３４がねじ３３により取り付けられている。防振材３４の下面に設けられた凹部３４の内部に、ねじ３３の大径の頭部３３ａが埋め込まれている。【００５７】
また、弾性部材３１は、一端側から他端側に亘り同径のコイルバネであり、支持部材３８が内側に挿入されている。弾性部材３１は、一端をフランジ３８ｃの下面に係止し、他端を筒状部材３９の上端に係止している。他の構成実施例１と同様である。このため、同一の構成については、同一の符号を付し詳細な説明は省略する。【００５８】
また、実施例３の支持脚３０を利用して防水パンを設置する手順は、以下に説明する点を除き、実施例１と同様である。【００５９】
実施例３の支持脚３０を利用して防水パンを設置する場合、第１工程において、支持部材３８は、浴槽側防水パン５ａの下面の支持脚取付部にビス固定される。また、第２工程において、図８〜図１０に示すように、硬化性樹脂１２のみを内部に有する筒状部材３９に支持部材３８を挿入して連結する。この際、筒状部材３９に設けられたスリット３９ｄの水平開口部３９ｇにピン３８ｂが位置するまで支持部材３８を挿入した後、ピン３８ｂが水平開口部３９ｇの上面に当接して係止するように筒状部材３９を回転させる。【００６０】
このような実施例３の支持脚３０において、支持部材３８と筒状部材３９とが接触していたりしても、弾性部材３１の弾性力により、支持部材３８と筒状部材３９とは最も遠ざけられた状態、つまり、支持脚３０は最も長い状態で浴槽側防水パン５ａの下面に取り付けられる。このため、浴槽側防水パン５ａを設置面１に設置する際には、筒状部材３９を必ず設置面１に当接させることができる。そして、浴槽側防水パン５ａが水平に設置されると同時に、支持脚３０は適切な長さに自動的に縮小される。その後、支持脚３０は、時間の経過により硬化性材料１２が硬化するため、支持部材３８と筒状部材３９とが強固に一体化される。【００６１】
したがって、実施例３の支持脚３０も、実施例１の支持脚１０と同様に、本発明の作用効果を奏することができる。【００６２】
また、筒状部材３９の下端にはゴム製の防振材３４が取り付けられているため、浴室ユニットの床面として防水パンが使用される際に生じる振動が設置面１に伝播しないようにすることができる。また、この振動により防振材３４が設置面１と離反して衝突しても衝突音を低減することができる。このため、浴室ユニットを快適に使用することができる。【００６３】
また、支持脚３０を、防水パン５ａの中央部の下面等、施工者の手の届かない箇所にも配置したことにより、防水パン５ａをより確実に水平状態に支持することができる。【００６４】
また、弾性部材３１は、支持部材３８に一体に設けられたフランジ３８ｃに直接当接しているため、フランジ３８ｃに弾性部材２１の弾性力が直接作用し、筒状部材３９を遠ざける方向に弾性力が確実に働くため、筒状部材３９をより確実に設置面１に当接させることができる。【００６５】
また、筒状部材３９の内部に弾性部材３１を設けないため、筒状部材３９の内部に硬化性材料１２を充填する際の抵抗がなくなり、容易に筒状部材３９の内部に硬化性材料１２を充填することができる。このため、筒状部材３９の品質のばらつきが低減され、製造時間の短縮を図ることができる。【００６６】
また、ピン３８ｂがスリット３９ｄの水平開口部３９ｇの上面に当接して係止されるため、支持部材３８から筒状部材３９が脱落することを防止することができる。
【実施例４】
【００６７】
図１１及び図１２に示すように、実施例４の支持脚４０において、支持部材４８は、中央部に一体に形成された凸部４８ｄと、外周部に一体に形成された折り返し部４８ｅとを備えたフランジ４８ｃを有している。フランジ４８ｃの上面にはゴム製の防振部材４５が設けられ、防振部材４５の上面には両面テープ４６が貼付されている。【００６８】
筒状部材４９は、一端に支持部材４８の凸部４８ｄが挿入可能な開口４９ａを有し、他端４９ｂが閉鎖されている。他端４９ｂの下面にはゴム製の防振部材４５が設けられ、防振部材４５の下面には両面テープ４６が貼付されている。筒状部材４９の内部には、硬化性樹脂１２が充填されている。【００６９】
弾性部材４１は、一端側から他端側に亘り同径のコイルバネであり、筒状部材４９の外周部に設けられている。【００７０】
このような構成である実施例４の支持脚４０を利用して防水パンを設置する。この手順を以下に説明する。なお、支持脚４０は、図１及び図１２に示すように、洗い場側防水パン５ｂと大引き４との間に配置される。【００７１】
先ず、図１２に示すように、内部に硬化性樹脂１２を充填した筒状部材４９を両面テープ４６により大引き４の上面に固定する。次に、弾性部材４１を筒状部材４９の外周部に配置し、上方から支持部材９８を整合させておく。次に、洗い場側防水パン５ｂを上方から設置する。これにより、両面テープ４６により洗い場側防水パン５ｂに固定される。この後、時間の経過とともに硬化性樹脂１２が硬化し、支持部材４８と筒状部材４９とが強固に一体化され、洗い場側防水パン５ｂが支持される。【００７２】
このような実施例４の支持脚４０において、弾性部材４１の弾性力が支持部材４８と筒状部材４９とを遠ざける方向に働き、大引き４に取り付けられる。そして、洗い場側防水パン５ｂが水平に設置されると同時に、支持脚４０が適切な長さに自動的に縮小される。その後、支持脚４０は、時間の経過により硬化性樹脂１２が硬化するため、支持部材４８と筒状部材４９とが強固に一体化される。【００７３】
したがって、実施例４の支持脚４０も、実施例１の支持脚１０と同様に、本発明の作用効果を奏することができる。【００７４】
また、防振部材４５が筒状部材４９の下面及び支持部材４８のフランジ４８ｃの上面に設けているため、浴室ユニットの床面として防水パンが使用される際に生じる振動が大引き４に伝播することを防止することができる。【００７５】
また、筒状部材４９の内部に弾性部材４１を設けないため、筒状部材４９の内部に硬化性材料１２を充填する際の抵抗がなくなり、容易に筒状部材４９の内部に硬化性材料１２を充填することができる。このため、筒状部材４９の品質のばらつきが低減され、製造時間の短縮を図ることができる。
【実施例５】
【００７６】
図１３及び図１４に示すように、実施例５の支持脚５０において、筒状部材５９は、軸方向に伸縮可能な可動部５９ｃにより側壁が形成されている。可動部５９ｃの下端には底部材５９ｂが一体に形成されている。底部材５９ｂの外周には、可動部５９ｃよりも外側へ突出したフランジ５９ｂｆが形成されている。【００７７】
可動部５９ｃの上端には、外側に延びる鍔部５９ｈ、鍔部５９ｈの外周部から上方へ延びる垂直部５９ｉ及び垂直部５９ｉの上端から径方向に水平に折り返された上面部５９ｊが一体に形成されている。上面部５９ｊの中央部には開口５９ａが形成されている。【００７８】
筒状部材５９の上部には、支持部材８の頭部８ａが嵌め込まれている。筒状部材５９は、ゴム等の弾性材により全体が形成されている。【００７９】
弾性部材５１は、一端側から他端側に亘り同径のコイルバネである。弾性部材５１は、一端をフランジ５９ｂｆの上面に係止し、他端を鍔部５９ｈの下面に係止して、可動部５９ｃの外周部に設けられている。他の構成は、実施例１と同様である。このため、同一の構成については、同一の符号を付し詳細な説明は省略する。【００８０】
また、実施例５の支持脚５０を利用して防水パンを設置する手順は、以下に説明する点を除き、実施例１と同様である。【００８１】
実施例５の支持脚５０を利用して防水パンを設置する場合、第２工程において、図１３及び図１４に示すように、支持部材８の頭部８ａのみを筒状部材５９の開口５９ａを変形させながら挿入する。挿入された頭部８ａの先端外周部が筒状部材５９の鍔部５９ｈに当接するため、支持部材８はそれ以上筒状部材５９の内部に挿入されない。【００８２】
このような実施例５の支持脚５０において、弾性部材３１の弾性力により、支持部材８と筒状部材５９とは最も遠ざけられた状態、つまり、支持脚５０は最も長い状態で浴槽側防水パン５ａの下面に取り付けられる。このため、浴槽側防水パン５ａを設置面１に設置する際には、筒状部材５９を必ず設置面１に当接させることができる。そして、浴槽側防水パン５ａが水平に設置されると同時に、支持脚５０は適切な長さに自動的に縮小される。その後、支持脚５０は、時間の経過により硬化性材料１２が硬化するため、支持部材８と筒状部材５９とが強固に一体化される。【００８３】
したがって、実施例５の支持脚５０も、実施例１の支持脚１０と同様に、本発明の作用効果を奏することができる。【００８４】
また、筒状部材５９は、ゴム等の弾性材で形成されているため、浴室ユニット等の床面として防水パンが使用される際に生じる振動が設置面１に伝播しないようにすることができる。また、この振動により筒状部材５９が設置面１と離反して衝突する場合でも、その衝突音を低減することができる。このため、浴室ユニットを快適に使用することができる。【００８５】
また、支持脚５０を、防水パン５ａの中央部の下面等、施工者の手の届かない箇所にも配置したことにより、防水パン５ａをより確実に水平状態に支持することができる。【００８６】
また、筒状部材５９の内部に弾性部材５１を設けないため、筒状部材５９の内部に硬化性材料１２を充填する際の抵抗がなくなり、容易に筒状部材５９の内部に硬化性材料１２を充填することができる。このため、筒状部材５９の品質のばらつきが低減され、製造時間の短縮を図ることができる。
【実施例６】
【００８７】
図１５に示すように、実施例６の筒状部材６９は、コイルバネである弾性部材６１を筒状部材６９の可動部６９ｃにインサート成形して形成したものである。他の構成及びこの筒状部材６９を採用した支持脚を利用して防水パンを設置する手順は、実施例５と同様である。このため、詳細な説明は省略する。【００８８】
このような実施例６の筒状部材６９を採用した支持脚において、弾性部材６１の弾性力により、支持部材と筒状部材６９とは最も遠ざけられた状態、つまり、支持脚は最も長い状態で浴槽側防水パン５ａの下面に取り付けられる。このため、浴槽側防水パン５ａを設置面１に設置する際には、筒状部材６９を必ず設置面１に当接させることができる。そして、浴槽側防水パン５ａが水平に設置されると同時に、支持脚は適切な長さに自動的に縮小される。その後、支持脚は、時間の経過により硬化性材料が硬化するため、支持部材と筒状部材６９とが強固に一体化される。【００８９】
したがって、実施例６の筒状部材６９を採用した支持脚も、実施例１の支持脚１０と同様に、本発明の作用効果を奏することができる。【００９０】
また、支持部材を筒状部材６９に挿入するのみで支持脚を組み付けることができるため、防水パンをより容易に設置することができる。
【実施例７】
【００９１】
図１６及び図１７に示すように、実施例７の支持脚７０において、筒状部材７９は、第１筒状部材７９ｕと第２筒状部材７９ｂとから形成されている。第１筒状部材７９ｕは、下端を開放し、上面部７９ｓの中央部に開口７９ａを有する筒部７９ｒを有している。筒部７９ｒは支持部材８の軸部が挿通可能である。第１筒状部材７９ｕは樹脂あるいは金属で形成されている。【００９２】
第２筒状部材７９ｂは、上端を開放し、底面の中央部に凹部７９ｎを有している。第２筒状部材７９ｂは、底面より高い位置の外周に段部７９ｍを有し、段部７９ｍより上方に、楔形状の凹凸を外周に備えた接続部７９ｌを有している。第２筒状部材７９ｂはゴム等の弾性材で形成されている。第２筒状部材７９ｂは、内部に硬化性樹脂１２を充填している。【００９３】
第１筒状部材７９ｕの下端開放に第２筒状部材７９ｂの接続部を挿入すると、第１筒状部材７９ｕの下部内周面に第２筒状部材７９ｂの接続部７９ｌの凹凸が密着し、第１筒状部材７９ｕと第２筒状部材７９ｂとが強固に連結される。【００９４】
弾性部材７１は、一端側から他端側に亘り同径のコイルバネであり、凹部７９ｎに嵌め込まれている。他の構成は、実施例１と同様である。このため、同一の構成については、同一の符号を付し詳細な説明は省略する。【００９５】
また、実施例７の支持脚７０を利用して防水パンを設置する手順は、以下に説明する点を除き、実施例１と同様である。【００９６】
実施例７の支持脚７０を利用して防水パンを設置する場合、第１工程において、第１筒状部材７９ｕの筒部７９ｒに支持部材８の軸部を挿入した後に、支持部材８を浴槽側防水パン５ａの支持脚取付部に螺合させる。そして、第２工程において、図１６に示すように、支持部材８が挿通された第１筒状部材７９ｕに対して、内部に弾性部材７１と硬化性樹脂１２を有する第２筒状部材７９ｂを連結する。【００９７】
このような実施例７の支持脚７０において、支持部材８と筒状部材７９とが接触していたりしても、弾性部材７１の弾性力により、支持部材８と筒状部材７９とは最も遠ざけられた状態、つまり、支持脚７０は最も長い状態で浴槽側防水パン５ａの下面に取り付けられる。このため、浴槽側防水パン５ａを設置面１に設置する際には、筒状部材７９を必ず設置面１に当接させることができる。そして、浴槽側防水パン５ａが水平に設置されると同時に、支持脚７０は適切な長さに自動的に縮小される。その後、支持脚７０は、時間の経過により硬化性材料１２が硬化するため、支持部材８と筒状部材７９とが強固に一体化される。【００９８】
したがって、実施例７の支持脚７０も、実施例１の支持脚１０と同様に、本発明の作用効果を奏することができる。【００９９】
また、第２筒状部材７９ｂは、ゴム等の弾性材で形成されているため、浴室ユニットの床面として防水パンが使用される際に生じる振動が設置面１に伝播しないようにすることができる。また、この振動により第２筒状部材７９ｂが設置面１と離反して衝突しても衝突音を低減することができる。このため、浴室ユニットを快適に使用することができる。【０１００】
また、支持脚７０を、防水パン５ａの中央部の下面等、施工者の手の届かない箇所にも配置したことにより、防水パン５ａをより確実に水平状態に支持することができる。【０１０１】
また、弾性部材７１は支持部材８に直接当接しているため、支持部材８に弾性部材７１の弾性力が直接作用し、筒状部材７９を遠ざける方向に弾性力が確実に働くため、筒状部材２９をより確実に設置面１に当接させることができる。【０１０２】
また、弾性部材７１はコイルバネであるため、筒状部材７９の内部に容易に設けることができる。【０１０３】
また、支持部材８が挿通された第１筒状部材７９ｕに対して第２筒状部材７９ｂを連結するため、支持部材８に筒状部材７９を容易に連結することができる。【０１０４】
また、支持部材８の頭部８ａが第１筒状部材７９の上面部７９ｓに当接して係止されるため、支持部材８から筒状部材７９が脱落することを防止することができる。
【実施例８】
【０１０５】
図１８及び図１９に示すように、実施例８の筒状部材８９は、第１筒状部材８９ｕの下部内面に設けられた雌ねじ８９ｎと第２筒状部材の接続部に設けられた雄ねじ８９ｌとを螺合することにより、第１筒状部材８９ｕと第２筒状部材８９ｂとを連結する。他の構成及びこの筒所部材８９を採用した支持脚を利用して防水パンを設置する手順は、実施例７と同様である。このため、詳細な説明は省略する。【０１０６】
このような実施例８の筒状部材８９を採用した支持脚において、支持部材と筒状部材８９とが接触していたりしても、弾性部材の弾性力により、支持部材と筒状部材８９とは最も遠ざけられた状態、つまり、支持脚は最も長い状態で浴槽側防水パン５ａの下面に取り付けられる。このため、浴槽側防水パン５ａを設置面１に設置する際には、筒状部材８９を必ず設置面１に当接させることができる。そして、浴槽側防水パン５ａが水平に設置されると同時に、支持脚は適切な長さに自動的に縮小される。その後、支持脚は、時間の経過により硬化性材料１２が硬化するため、支持部材と筒状部材８９とが強固に一体化される。【０１０７】
したがって、実施例８の筒状部材８９を採用した支持脚も、実施例１の支持脚１０と同様に、本発明の作用効果を奏することができる。【０１０８】
また、第１筒状部材８９ｕの雌ねじ８９ｎと第２筒状部材８９ｂの雄ねじ８９ｌとを螺合させて連結しているので、確実に支持部材と筒状部材８９を連結することができる。
【産業上の利用可能性】
【０１０９】
本発明は、浴室ユニット等の床面を構成する防水パンを設置面上に支持する支持脚に利用可能である。
【図１】
2007091447.tif 000003
【図２】
2007091447.tif 000004
【図３】
2007091447.tif 000005
【図４】
2007091447.tif 000006
【図５】
2007091447.tif 000007
【図６】
2007091447.tif 000008
【図７】
2007091447.tif 000009
【図８】
2007091447.tif 000010
【図９】
2007091447.tif 000011
【図１０】
2007091447.tif 000012
【図１１】
2007091447.tif 000013
【図１２】
2007091447.tif 000014
【図１３】
2007091447.tif 000015
【図１４】
2007091447.tif 000016
【図１５】
2007091447.tif 000017
【図１６】
2007091447.tif 000018
【図１７】
2007091447.tif 000019
【図１８】
2007091447.tif 000020
【図１９】
2007091447.tif 000021
【国際調査報告】
2007091447.tif 000022
2007091447.tif 000023
2007091447.tif 000024
2007091447.tif 000025